(57)【要約】【課題】枠体と障子の間で充分な気密性を確保することのできる出入口サッシを提供する。【解決手段】枠体１内に内外障子２、３を引き違い状に納めてなり、下枠１１の上面には内外障子をそれぞれ案内するレール１５ａ、１５ｂが内外に設けられ、各レールの近傍にはそれと平行に気密レール１５ｄ、１５ｅがそれぞれ設けられ、下枠の両端部には室内側から室外側に渡って略平坦な掃き出し部１６を有し、掃き出し部にはその上面を覆う掃き出し部カバー体３０が取付けられ、掃き出し部カバー体には少なくとも内外いずれかのレールの位置に取付部３３が形成され、取付部にはレール延長部材３５が着脱自在とされ、レール延長部材は取付けられた取付部の位置のレール及びその近傍の気密レールとそれぞれ連続状となり下枠端部まで延長するレール延長部３６及び気密レール延長部３７を備えてなる。【選択図】図６
2008082122.tif 000002
【特許請求の範囲】
【請求項１】
上下枠及び左右の縦枠を方形状に枠組みした枠体内に内外障子を引き違い状に納めてなる出入口サッシにおいて、
前記下枠の上面には前記内外障子をそれぞれ案内するレールが内外に設けられ、各レールの近傍にはそれと平行に気密レールがそれぞれ設けられ、前記レール及び気密レールは端部がそれぞれ前記下枠端部より中央側に配置されて前記下枠の端部に室内側から室外側に渡って略平坦な掃き出し部を形成すると共に、該掃き出し部にはその上面を覆う掃き出し部カバー体が取付けられ、
前記掃き出し部カバー体には少なくとも内外いずれかの前記レールの位置に取付部が形成され、該取付部にはレール延長部材が着脱自在とされ、該レール延長部材は前記レール及びその近傍の気密レールとそれぞれ連続状となりそれらを前記下枠の端部まで延長するレール延長部及び気密レール延長部を備えてなることを特徴とする出入口サッシ。
【請求項２】
前記縦枠は前記下枠に設けられる気密レールと見込方向同位置に気密突部を長手方向に備え、前記レール延長部材の気密レール延長部は前記下枠の気密レールと前記縦枠の気密突部とを連続状とし、前記気密レールと気密レール延長部及び気密突部は前記障子に設けられる気密部と連続状に当接して前記下枠から縦枠に渡る連続した気密ラインを形成することを特徴とする請求項１記載の出入口サッシ。
【請求項３】
前記取付部は内外両方の前記レールの位置においてそれぞれ前記掃き出し部カバー体の両側部に互いに対向するように設けられると共に、前記レールと略同じ断面形状を有する突起状に形成され、前記延長部材は前記レール延長部の両端部を前記取付部に取付けると共に、該取付部を介して前記レールと略連続状とされることを特徴とする請求項１または２記載の出入口サッシ。
【請求項４】
前記延長部材のレール延長部は両側面に前記取付部と上下方向に係脱自在な係合部を有することを特徴とする請求項３記載の出入口サッシ。
【請求項５】
前記掃き出し部カバー体は板状に形成され前記下枠の上面を覆う基部から前記取付部が突出するように形成されてなることを特徴とする請求項１〜４のいずれか１項に記載の出入口サッシ。
【発明の詳細な説明】
【技術分野】
【０００１】
本発明は建物の出入口を構成し引き違い状に障子が設けられる出入口サッシに関し、特に下枠に掃き出し部を有しつつ気密性も確保された出入口サッシに関する。
【背景技術】
【０００２】
建物の開口部に枠体を設け、その中に障子を引き違い状に納めた出入口サッシが知られており、このような出入口サッシにおいては下枠に障子を案内するためのレールが設けられる。下枠はアルミの押出型材によって形成されるが、下枠にレールを一体的に形成した場合、アルミでは強度が不足することがあるため、下枠上面にステンレスからなりレールを有したレール部材を取付けることで、下枠にレールを設けるようにしている。ここでレールは下枠上面から突出状に形成されるため、掃除の際に室内側の埃等を室外側に掃き出すことが困難となる。このため、下枠の両端部にレールを形成しないで室内側から室外側に渡って略平坦となるようにした掃き出し部を設けるようにしている。このような出入口サッシとしては、例えば特許文献１に挙げるようなものがある。
【特許文献１】特開平９−２８７３５７号公報
【発明の開示】
【発明が解決しようとする課題】
【０００３】
しかし、従来の出入口サッシは、下枠に掃き出し部が形成されていることにより、障子との間で気密性を確保することが困難であり、出入口サッシの気密性が確保されないという問題点を有していた。
【０００４】
本発明は、上記課題を解決すべくなされたものであり、枠体と障子の間で充分な気密性を確保することのできる出入口サッシを提供することを目的とする。
【課題を解決するための手段】
【０００５】
上記課題を解決するため、本発明に係る出入口サッシは、上下枠及び左右の縦枠を方形状に枠組みした枠体内に内外障子を引き違い状に納めてなる出入口サッシにおいて、
前記下枠の上面には前記内外障子をそれぞれ案内するレールが内外に設けられ、各レールの近傍にはそれと平行に気密レールがそれぞれ設けられ、前記レール及び気密レールは端部がそれぞれ前記下枠端部より中央側に配置されて前記下枠の端部に室内側から室外側に渡って略平坦な掃き出し部を形成すると共に、該掃き出し部にはその上面を覆う掃き出し部カバー体が取付けられ、
前記掃き出し部カバー体には少なくとも内外いずれかの前記レールの位置に取付部が形成され、該取付部にはレール延長部材が着脱自在とされ、該レール延長部材は前記レール及びその近傍の気密レールとそれぞれ連続状となりそれらを前記下枠の端部まで延長するレール延長部及び気密レール延長部を備えてなることを特徴として構成されている。
【０００６】
また、本発明に係る出入口サッシは、前記縦枠は前記下枠に設けられる気密レールと見込方向同位置に気密突部を長手方向に備え、前記レール延長部材の気密レール延長部は前記下枠の気密レールと前記縦枠の気密突部とを連続状とし、前記気密レールと気密レール延長部及び気密突部は前記障子に設けられる気密部と連続状に当接して前記下枠から縦枠に渡る連続した気密ラインを形成することを特徴として構成されている。
【０００７】
さらに、本発明に係る出入口サッシは、前記取付部は内外両方の前記レールの位置においてそれぞれ前記掃き出し部カバー体の両側部に互いに対向するように設けられると共に、前記レールと略同じ断面形状を有する突起状に形成され、前記延長部材は前記レール延長部の両端部を前記取付部に取付けると共に、該取付部を介して前記レールと略連続状とされることを特徴として構成されている。
【０００８】
さらにまた、本発明に係る出入口サッシは、前記延長部材のレール延長部は両側面に前記取付部と上下方向に係脱自在な係合部を有することを特徴として構成されている。
【０００９】
そして、本発明に係る出入口サッシは、前記掃き出し部カバー体は板状に形成され前記下枠の上面を覆う基部から前記取付部が突出するように形成されてなることを特徴として構成されている。
【発明の効果】
【００１０】
本発明に係る出入口サッシによれば、下枠の掃き出し部にはその上面を覆う掃き出し部カバー体が取付けられ、掃き出し部カバー体には少なくとも内外いずれかのレールの位置に取付部が形成され、取付部にはレール延長部材が着脱自在とされ、レール延長部材は取付けられた取付部の位置のレール及びその近傍の気密レールとそれぞれ連続状となり下枠端部まで延長するレール延長部及び気密レール延長部を備えてなることにより、レール延長部材によって下枠端部までレール及び気密レールを延長できるので、枠体下辺における気密性を充分に確保することができる。
【００１１】
また、本発明に係る出入口サッシによれば、縦枠は下枠に設けられる気密レールと見込方向同位置に気密突部を長手方向に備え、レール延長部材の気密レール延長部は下枠の気密レールと縦枠の気密突部とを連続状とし、気密レールと気密レール延長部及び気密突部は障子に設けられる気密部と連続状に当接して下枠から縦枠に渡る連続した気密ラインを形成することにより、下枠から縦枠に渡って枠体と障子の間で連続した気密性を確保することができる。
【００１２】
さらに、本発明に係る出入口サッシによれば、取付部は内外両方のレールの位置においてそれぞれ掃き出し部カバー体の両側部に互いに対向するように設けられると共に、レールと略同じ断面形状を有する突起状に形成され、延長部材はレール延長部の両端部を取付部に取付けると共に、取付部を介してレールと略連続状とされることにより、レールからレール延長部に渡って略同一断面形状で連続状とすることができるので、障子を端部まで円滑に摺動させることができる。また、取付部が内外両方のレールの位置に設けられているので、掃き出し部カバー体を下枠の左右両方の掃き出し部に取付けることが可能となるので、部品の共用化によりコストダウンを図ることができる。
【００１３】
さらにまた、本発明に係る出入口サッシによれば、延長部材のレール延長部は両側面に取付部と上下方向に係脱自在な係合部を有することにより、延長部材を掃き出し部カバー体に対して容易に着脱することができる。
【００１４】
そして、本発明に係る出入口サッシによれば、掃き出し部カバー体は板状に形成され下枠の上面を覆う基部から取付部が突出するように形成されてなることにより、掃き出し部カバー体を軽量化してコストダウンを図ることができる。
【発明を実施するための最良の形態】
【００１５】
本発明の実施形態について、図面に沿って詳細に説明する。図１には本実施形態における出入口サッシの縦断面図を、図２には出入口サッシの横断面図を、それぞれ示している。これら各図に示すように、本実施形態における出入口サッシは、建物開口部に取付けられる枠体１内に内障子２と外障子３とを引き違い状に納めてなるものであり、内障子２の室内側にはさらに網戸４を納めているものである。
【００１６】
枠体１は、上枠１０と下枠１１及び左右の縦枠１２、１２を方形状に枠組みしてなるものである。上枠１０と縦枠１２には、それぞれ外周面の室内外中間位置に外方に向かって突出するフィン部１３が長手方向略全長に渡って形成されており、このフィン部１３が建物躯体に室外側から当接すると共に、ビス止めされることにより、枠体１を建物開口部に固定するようにしている。
【００１７】
上枠１０には、内周面側に内障子２を案内する内障子案内片１０ａと、外障子３を案内する外障子案内片１０ｂと、網戸４を案内する網戸案内片１０ｃとがそれぞれ突出状に形成されている。また、下枠１１は、上面が略平面状に形成されると共に、その上面には内障子２と外障子３及び網戸４を案内するためのレールを有したレール部材１５が取付けられる。
【００１８】
内障子２と外障子３は、上框２０と下框２１及び左右の縦框２２、２２を方形状に框組みしてなる框体５内にガラス体６を納めて構成されている。また、下框２１の下端部には下枠１１に設けられるレールに載置される戸車２３が設けられている。
【００１９】
内障子２と外障子３を構成し縦枠１２と対向する縦框２２には、室外面が縦枠１２側に向かって延出した室外延出部２４が形成されており、その先端部には気密材からなる気密部２５が長手方向略全長に渡って設けられている。一方の縦枠１２には、内障子２の室外延出部２４と近接対向するように気密突部１４が形成され、また他方の縦枠１２には、外障子３の室外延出部２４と近接対向するように気密突部１４が形成されている。各室外延出部２４に設けられた気密部２５は、それぞれ縦枠１２の気密突部１４に当接し、これによって内障子２と外障子３の側面における気密性を確保している。
【００２０】
枠体１を構成する上枠１０と下枠１１及び縦枠１２は、いずれもアルミの押出型材によって形成されている。また、框体５を構成する上框２０と下框２１及び縦框２２も、アルミの押出型材によって形成されている。一方、下枠１１の上面に取付けられるレール部材１５は、敷居面における強度を確保するために、ステンレスによって形成されている。
【００２１】
次に下枠１１のレールについてより詳細に説明する。図３には、図１における下枠１１付近の拡大図を示している。この図に示すように、レール部材１５には上面に、内障子２を案内する内レール１５ａと、外障子３を案内する外レール１５ｂと、網戸４を案内する網戸レール１５ｃとが形成されている。また、内レール１５ａの室外側近傍には、内レール１５ａと平行に内気密レール１５ｄが形成され、外レール１５ｂの室外側近傍には、外レール１５ｂと平行に外気密レール１５ｅが形成される。
【００２２】
内障子２と外障子３を構成する下框２１には、室外面下端部に下方に向かって延出する室外延出部２４が形成されており、その先端部には気密材からなる気密部２５が長手方向略全長に渡って設けられている。内障子２の室外延出部２４は、内気密レール１５ｄと対向しており、気密部２５が内気密レール１５ｄに当接することによって、内障子２下部における気密性を確保している。また、外障子３も同様に室外延出部２４が外気密レール１５ｅと対向しており、気密部２５が外気密レール１５ｅに当接することによって、外障子３下部における気密性を確保している。
【００２３】
図２に示すように、内レール１５ａと外レール１５ｂは、下枠１１の長手方向に沿って一方の端部近傍から他方の端部近傍に渡って形成されている。内気密レール１５ｄは、障子を閉じた状態で内障子２が配置される領域に形成され、また外気密レール１５ｅは、障子を閉じた状態で外障子３が配置される領域に形成される。
【００２４】
ここで、内レール１５ａと外レール１５ｂ、内気密レール１５ｄと外気密レール１５ｅは、いずれも端部が下枠１１の端部よりも中央寄りとなるように形成されており、したがって下枠１１の両端部にはそれぞれレールが形成されておらず略平坦となるようにされた掃き出し部１６が形成されている。そして、これら掃き出し部１６には、その上面を覆うように掃き出し部カバー体３０が取付けられている。
【００２５】
図４には、掃き出し部カバー体３０を室外側から見た斜視図を示している。掃き出し部カバー体３０は板状の樹脂材からなり、側面視が略Ｌ字状となるように形成されている。掃き出し部カバー体３０は、下枠１１の掃き出し部１６を覆う基部３１と、基部３１の室外端部から下方に向かって垂下された室外係合部３２とで略Ｌ字状を形成している。室外係合部３２は、下枠１１の室外面に係合する。
【００２６】
基部３１の上面には、室内側と室外側にそれぞれ突起状の取付部３３が形成されている。取付部３３は、掃き出し部カバー体３０を下枠１１に取付けた状態で、室内外方向において内レール１５ａと外レール１５ｂの位置に配置されている。また、取付部３３は内レール１５ａ及び外レール１５ｂと略同じ断面形状を有するように形成されると共に、基部３１の両側部に互いに対向するように２つ１組で２組が設けられ、いずれか１組の対向する２つの取付部３３間にはレール延長部材３５が取付けられる。
【００２７】
レール延長部材３５は、２つの取付部３３間に係合固定され、取付部３３を介して内レール１５ａまたは外レール１５ｂと連続状となるレール延長部３６と、このレール延長部３６と底面部３８を介して対向配置され、内気密レール１５ｄまたは外気密レール１５ｅと連続状となる気密レール延長部３７とを有している。レール延長部３６は、内レール１５ａ及び外レール１５ｂと略同じ断面形状を有するように形成され、また気密レール延長部３７は、内気密レール１５ｄ及び外気密レール１５ｅと略同じ断面形状を有するように形成される。
【００２８】
取付部３３は、互いに対向する面が横断面半円形状となるように形成されて被係合部３３ａとされ、一方でレール延長部材３５のレール延長部３６は、両側面がそれぞれ凹状に形成されて、取付部３３の被係合部３３ａに対して上下方向に係脱自在となる係合部３６ａとされている。これによって、レール延長部材３５は取付部３３に対して上下方向に着脱自在となるように構成されている。
【００２９】
また、掃き出し部カバー体３０には、互いに対向する取付部３３間とそれより室外側の領域が凹状に形成された取付凹部３４を、取付部３３の各組毎に有しており、取付部３３に係合されたレール延長部材３５は、底面部３８が取付凹部３４に納められるように配置される。
【００３０】
図５には、室外側の取付部３３にレール延長部材３５が取付けられた掃き出し部カバー体３０の側面図を示している。この図に示すように、取付部３３の室外面根元部分には、切欠部３３ｂが形成されており、レール延長部材３５の底面部３８の室内端部がこの切欠部３３ｂにスナップ係合することで、レール延長部材３５をより確実に掃き出し部カバー体３０に固定しておくことができる。
【００３１】
また、掃き出し部カバー体３０を構成する基部３１の底面には、略Ｌ字状に形成された係合片３１ａが複数形成されており、下枠１１の掃き出し部１６に形成される係合孔（図示しない）に対してこれらが係合することにより、掃き出し部カバー体３０を下枠１１に対し強固に固定することができる。
【００３２】
図６には、枠体１における一方の掃き出し部１６付近の拡大斜視図を示している。この図は、室外側から掃き出し部１６付近を見たものであって、障子を閉じた際に内障子２が配置される側について示したものである。この図に示すように、障子を閉じた際に内障子２が配置される側には、下枠１１の端部近傍まで内レール１５ａ及び内気密レール１５ｄが配置されており、それらの端部よりもさらに下枠１１の端部側は、掃き出し部１６が形成されると共に、それを覆うように掃き出し部カバー体３０が取付けられている。
【００３３】
ここで、内障子２が配置される側の掃き出し部カバー体３０には、室内側の取付部３３にレール延長部材３５を取付けている。これによって、レール延長部３６によって内レール１５ａが下枠１１の端部まで延長されると共に、気密レール延長部３７によって内気密レール１５ｄが下枠１１の端部まで延長される。下枠１１の内気密レール１５ｄと縦枠１２の気密突部１４は、見込方向において同位置に形成されているので、気密レール延長部３７によって内気密レール１５ｄが下枠１１の端部まで延長されることで、内気密レール１５ｄと気密突部１４は連続状とされる。そして、内障子２の下框２１に設けられる気密部２５と内気密レール１５ｄによって形成される気密ラインと、内障子２の縦框２２に設けられる気密部２５と気密突部１４によって形成される気密ラインとが、下枠１１と縦枠１２の連結部分において連続状となるようにされている。
【００３４】
図７には、枠体１における他方の掃き出し部１６付近の拡大斜視図を示している。この図は、室外側から掃き出し部１６付近を見たものであって、障子を閉じた際に外障子３が配置される側について示したものである。この図に示すように、障子を閉じた際に外障子３が配置される側には、下枠１１の端部近傍まで外レール１５ｂ及び外気密レール１５ｅが配置されており、それらの端部よりもさらに下枠１１の端部側は、掃き出し部１６が形成されると共に、それを覆うように掃き出し部カバー体３０が取付けられている。この掃き出し部カバー体３０は、内障子２が配置される側の掃き出し部カバー体３０と同一のものである。
【００３５】
ここで、外障子３が配置される側の掃き出し部カバー体３０には、室外側の取付部３３にレール延長部材３５を取付けている。これによって、レール延長部３６によって外レール１５ｂが下枠１１の端部まで延長されると共に、気密レール延長部３７によって外気密レール１５ｅが下枠１１の端部まで延長される。内障子２が配置される側と同様、下枠１１の外気密レール１５ｅと縦枠１２の気密突部１４は、見込方向において略同位置に形成されているので、気密レール延長部３７によって外気密レール１５ｅが下枠１１の端部まで延長されることで、外気密レール１５ｅと気密突部１４は略連続状とされる。そして、外障子３の下框２１に設けられる気密部２５と外気密レール１５ｅによって形成される気密ラインと、外障子３の縦框２２に設けられる気密部２５と気密突部１４によって形成される気密ラインとが、下枠１１と縦枠１２の連結部分において連続状となるようにされている。
【００３６】
レール延長部材３５は掃き出し部カバー体３０に対して上下方向に着脱自在であるため、清掃作業時にはそれを取付部３３から取り外すことにより、掃き出し部１６を室内側から室外側に渡って平坦な状態とすることができ、埃等を室外側に容易に掃き出すことができる。また、清掃作業後はレール延長部材３５を取付部３３に上方から容易に取付けることができる。これによって清掃作業時以外は下枠１１から縦枠１２に渡る気密性を充分に確保することができる。
【００３７】
掃き出し部カバー体３０は、内レール１５ａと外レール１５ｂの位置にそれぞれ取付部３３を有しているので、それらのいずれかにレール延長部材３５を取付けることにより、内レール１５ａ及び内気密レール１５ｄの延長と外レール１５ｂ及び外気密レール１５ｅの延長の両方に対応することができるので、掃き出し部カバー体３０を左右で兼用することができ、部品の共用化によるコスト削減を図ることができる。
【００３８】
以上、本発明の実施形態について説明したが、本発明の適用は本実施形態に限られず、その技術的思想の範囲内において様々に適用されうるものである。例えば、本実施形態では掃き出し部カバー体３０に内外の取付部３３を設けて、そのいずれかにレール延長部材３５を取付けることとしたが、取付部３３は少なくとも内外いずれか一方に設けていればよい。ただし、その場合には掃き出し部カバー体３０が下枠１１の左右で異なる形状となるため、部品の共用化を図ることはできない。
【００３９】
また、本実施形態では掃き出し部カバー体３０の基部３１を板状に形成したが、これを断面中空状のブロック状に形成することもできる。このようにすることで、掃き出し部カバー体３０における断熱性を向上させることができる。さらに、本実施形態では掃き出し部１６を下枠１１の両端部にそれぞれ設けているが、どちらか一方に設けて、掃き出し部カバー体３０を片方にのみ設けるようにしてもよい。
【図面の簡単な説明】
【００４０】
【図１】本実施形態における出入口サッシの縦断面図である。
【図２】出入口サッシの横断面図である。
【図３】図１の下部拡大図である。
【図４】掃き出し部カバー体の斜視図である。
【図５】掃き出し部カバー体の側面図である。
【図６】枠体における一方の掃き出し部付近の拡大斜視図である。
【図７】枠体における他方の掃き出し部付近の拡大斜視図である。
【符号の説明】
【００４１】
１    枠体
２    内障子
３    外障子
４    網戸
５    框体
６    ガラス体
１０    上枠
１１    下枠
１２    縦枠
１４    気密突部
１５    レール部材
１５ａ  内レール
１５ｂ  外レール
１５ｃ  網戸レール
１５ｄ  内気密レール
１５ｅ  外気密レール
１６    掃き出し部
２４    室外延出部
２５    水密部
３０    掃き出し部カバー体
３１    基部
３３    取付部
３５    レール延長部材
３６    レール延長部
３７    気密レール延長部
３８    底面部
【図１】
2008082122.tif 000003
【図２】
2008082122.tif 000004
【図３】
2008082122.tif 000005
【図４】
2008082122.tif 000006
【図５】
2008082122.tif 000007
【図６】
2008082122.tif 000008
【図７】
2008082122.tif 000009